(57)【要約】【課題】「Ｄｉｓｔｒｉｂｕｔｅｄ  ＲＬＣｓ」が適用されている場合において、ＲＬＣ-ｓｔａｔｕｓ-ｒｅｐｏｒｔを送信することができる確率を上げる。【解決手段】本発明に係る移動通信システムでは、「Ｉｎｔｅｒ-ｅＮＢ  ＣＡ」が行われている場合に、無線基地局ＭｅＮＢは、移動局ＵＥに対して、かかる移動局ＵＥからの上りデータ信号に対する全てのＲＬＣ-ｓｔａｔｕｓ-ｒｅｐｏｒｔを送信するように構成されている。【選択図】図１
2015070318.tif 000002
【特許請求の範囲】
【請求項１】
移動局が、マスター無線基地局配下のセル及びスレーブ無線基地局配下のセルを用いたキャリアアグリゲーションを行うことができるように構成されている移動通信システムであって、
前記キャリアアグリゲーションが行われている場合に、前記マスター無線基地局は、前記移動局に対して、該移動局からの上りデータ信号に対する全てのＲＬＣレイヤにおけるステータスレポートを送信するように構成されていることを特徴とする移動通信システム。
【請求項２】
移動局が、マスター無線基地局配下のセル及びスレーブ無線基地局配下のセルを用いたキャリアアグリゲーションを行うことができるように構成されている移動通信システムであって、
前記キャリアアグリゲーションが行われている場合に、前記マスター無線基地局は、前記スレーブ無線基地局に対して、前記移動局からの上りデータ信号の受信状況を通知するように構成されており、
前記スレーブ無線基地局は、前記受信状況及びトランスポートブロックサイズに基づいて、前記上りデータ信号に対するＲＬＣレイヤにおけるステータスレポートを生成して前記移動局に対して送信するように構成されていることを特徴とする移動通信システム。
【請求項３】
移動局が、マスター無線基地局配下のセル及びスレーブ無線基地局配下のセルを用いたキャリアアグリゲーションを行うことができるように構成されている移動通信システムであって、
前記キャリアアグリゲーションが行われている場合に、前記マスター無線基地局は、前記スレーブ無線基地局に対して、前記移動局からの上りデータ信号に対するＲＬＣレイヤにおけるステータスレポートを送信するように構成されており、
前記スレーブ無線基地局は、前記ステータスレポートに含まれる送達確認情報を削減することによって、前記上りデータ信号に対するＲＬＣレイヤにおける新規のステータスレポートを生成して前記移動局に対して送信するように構成されていることを特徴とする移動通信システム。
【請求項４】
移動局が、マスター無線基地局配下のセル及びスレーブ無線基地局配下のセルを用いたキャリアアグリゲーションを行うことができるように構成されている移動通信システムであって、
前記キャリアアグリゲーションが行われている場合に、前記マスター無線基地局は、前記スレーブ無線基地局に対して、前記移動局からの上りデータ信号に対するＲＬＣレイヤにおけるステータスレポートを送信するように構成されており、
前記スレーブ無線基地局は、前記ステータスレポートを複数のユニットに分割するように構成されており、
前記スレーブ無線基地局は、前記移動局に対して、分割した前記複数のユニットによって前記ステータスレポートに含まれる送達確認情報を通知するように構成されていることを特徴とする移動通信システム。
【請求項５】
移動局が、マスター無線基地局配下のセル及びスレーブ無線基地局配下のセルを用いたキャリアアグリゲーションを行うことができるように構成されている移動通信システムであって、
前記キャリアアグリゲーションが行われている場合に、前記スレーブ無線基地局は、前記マスター無線基地局に対して、自身におけるトランスポートブロックサイズに係る情報を通知するように構成されており、
前記マスター無線基地局は、前記トランスポートブロックサイズに係る情報に基づいて、前記移動局からの上りデータ信号に対するＲＬＣレイヤにおけるステータスレポートを生成して前記移動局に対して送信するように構成されていることを特徴とする移動通信システム。
【請求項６】
移動局が、マスター無線基地局配下のセル及びスレーブ無線基地局配下のセルを用いたキャリアアグリゲーションを行うことができるように構成されている移動通信システムであって、
前記キャリアアグリゲーションが行われている場合に、前記マスター無線基地局は、前記スレーブ無線基地局に対して、前記移動局からの上りデータ信号に対するＲＬＣレイヤにおけるステータスレポートを送信するように構成されており、
前記スレーブ無線基地局は、所定期間内に、前記マスター無線基地局から受信した前記ステータスレポートを前記移動局に対して送信することができなかった場合に、その旨を該マスター無線基地局に通知するように構成されていることを特徴とする移動通信システム。
【発明の詳細な説明】
【技術分野】
【０００１】
本発明は、移動通信システムに関する。
【背景技術】
【０００２】
ＬＴＥ（Ｌｏｎｇ  Ｔｅｒｍ  Ｅｖｏｌｕｔｉｏｎ）方式において、ＲＬＣ（Ｒａｄｉｏ  Ｌｉｎｋ  Ｃｏｎｔｒｏｌ）レイヤは、順序制御及び重複制御を提供するために、送信側及び受信側においてウィンドウ制御が行われるように構成されている。
【０００３】
送信側のＲＬＣレイヤにおけるウィンドウ制御では、図１７に示すように、新規に送信するＲＬＣ-ＰＤＵ（Ｒａｄｉｏ  Ｌｉｎｋ  Ｃｏｎｔｒｏｌ-Ｐｒｏｔｏｃｏｌ  Ｄａｔａ  Ｕｎｉｔ）に対してＳＮ（Ｓｅｑｕｅｎｃｅ  Ｎｕｍｂｅｒ、シーケンス番号）を付与し、受信側のＲＬＣレイヤからのＲＬＣ-ｓｔａｔｕｓ-ｒｅｐｏｒｔ（ＡＣＫ/ＮＡＣＫ）を以って「Ｔｘ  ｗｉｎｄｏｗ（送信側ウィンドウ）」の更新やＲＬＣレイヤでの再送を実施する。
【０００４】
一方、受信側のＲＬＣレイヤにおけるウィンドウ制御では、図１７に示すように、ＳＮ順にＲＬＣ-ＰＤＵを受信できた場合に「Ｒｘ  ｗｉｎｄｏｗ（受信側ウィンドウ）」を更新する。
【０００５】
図１８に示すように、送信側のＲＬＣレイヤは、受信側のＲＬＣレイヤからのＲＬＣ-ｓｔａｔｕｓ-ｒｅｐｏｒｔを受信できない場合には、「Ｔｘ  ｗｉｎｄｏｗ（送信側ウィンドウ）」を更新することができず、「Ｔｘ  ｗｉｎｄｏｗ  ｓｔａｌｌｉｎｇ」が発生し、新規のＲＬＣ-ＰＤＵを送信することができなくなる。
【０００６】
そのため、受信側のＲＬＣレイヤが、適切な頻度で、送信側のＲＬＣレイヤに対して、ＲＬＣ-ｓｔａｔｕｓ-ｒｅｐｏｒｔを送信する必要がある。
【０００７】
なお、受信側のＲＬＣレイヤは、送信側のＲＬＣレイヤからのフィードバック要求（周期的に、或いは、ＲＬＣ-ＰＤＵの最後等に送信される）を受信した場合や、受信したＲＬＣ-ＰＤＵにおけるＳＮの抜けを検出した場合等において、ＲＬＣ-ｓｔａｔｕｓ-ｒｅｐｏｒｔを送信するように構成されている。
【０００８】
ただし、受信側のＲＬＣレイヤは、「Ｐｒｏｈｉｂｉｔ  ｔｉｍｅｒ」が起動されている場合には、ＲＬＣ-ｓｔａｔｕｓ-ｒｅｐｏｒｔを送信しないように構成されている。
【０００９】
なお、かかる「Ｐｒｏｈｉｂｉｔ  ｔｉｍｅｒ」は、ＲＬＣ-ｓｔａｔｕｓ-ｒｅｐｏｒｔが送信される際に起動されるように構成されている。
【００１０】
また、ＬＴＥ方式のＲｅｌｅａｓｅ-１０までで規定されているＣＡ（Ｃａｒｒｉｅｒ  Ａｇｇｒｅｇａｔｉｏｎ、キャリアアグリゲーション）では、図１９（ａ）に示すように、同一の無線基地局ｅＮＢ配下のＣＣ（Ｃｏｍｐｏｎｅｎｔ  Ｃａｒｒｉｅｒ、コンポーネントキャリア）＃１及びＣＣ＃２を用いて同時通信を行うことで高いスループットを実現することが可能であった。
【００１１】
一方、ＬＴＥ方式のＲｅｌｅａｓｅ-１２では、ＬＴＥ方式のＲｅｌｅａｓｅ-１０までのＣＡを拡張して、図１９（ｂ）に示すように、異なる無線基地局ｅＮＢ＃１/ｅＮＢ＃２配下のＣＣ＃１/ＣＣ＃２を用いて同時通信を行うことで高いスループットを実現する「Ｉｎｔｅｒ-ｅＮＢ  ＣＡ（或いは、Ｉｎｔｅｒ-ｎｏｄｅ  ＵＰ  ａｇｇｒｅｇａｔｉｏｎ）」が検討されている（非特許文献１参照）。
【００１２】
例えば、全てのＣＣを単一の無線基地局ｅＮＢ内に収容することができない場合に、ＬＴＥ方式のＲｅｌｅａｓｅ-１０と同程度のスループットを実現するためには、「Ｉｎｔｅｒ-ｅＮＢ  ＣＡ」を行うことが必要となる。
【００１３】
ここで、図２０（ａ）及び図２０（ｂ）に示すように、「Ｉｎｔｅｒ-ｅＮＢ  ＣＡ」を実現するための構成として「Ｄｉｓｔｒｉｂｕｔｅｄ  ＲＬＣｓ」が提案されている。
【００１４】
「Ｄｉｓｔｒｉｂｕｔｅｄ  ＲＬＣｓ」では、図２０（ａ）及び図２０（ｂ）に示すように、無線基地局ＭｅＮＢのＭ-ＲＬＣ（Ｍａｓｔｅｒ-ＲＬＣ）レイヤ機能が、ＲＬＣ-ＰＤＵを生成して、かかるＲＬＣ-ＰＤＵを無線基地局ＳｅＮＢのＳ-ＲＬＣ（Ｓｌａｖｅ-ＲＬＣ）レイヤ機能に対して転送し、無線基地局ＳｅＮＢのＳ-ＲＬＣレイヤ機能が、かかるＲＬＣ-ＰＤＵを移動局ＵＥに対して送信するように構成されている。
【００１５】
ここで、無線基地局ＳｅＮＢのＳ-ＲＬＣ機能は、必要であれば、受信したＲＬＣ-ＰＤＵを再セグメント化（ｒｅ-ｓｅｇｍｅｎｔ）するように構成されている。
【００１６】
なお、再セグメント化は、ＬＴＥ方式のＲｅｌｅａｓｅ-８で規定されているＲＬＣ制御の１つで、ＲＬＣレイヤ機能が、ＲＬＣ-ＰＤＵを再送する際に、再送対象のＲＬＣ-ＰＤＵに対して充分なＴＢＳ（Ｔｒａｎｓｐｏｒｔ  Ｂｌｏｃｋ  Ｓｉｚｅ）が得られない場合に、ＲＬＣ-ＰＤＵを更にセグメント化し、ＲＬＣ-ＰＤＵセグメントとして送信することである。
【００１７】
ここで、図２０（ａ）に、「Ｄｉｓｔｒｉｂｕｔｅｄ  ＲＬＣｓ」を実現するためのプロトコルスタックを示す。
【先行技術文献】
【非特許文献】
【００１８】
【非特許文献１】３ＧＰＰ寄書Ｒ２-１３１７８２
【発明の概要】
【発明が解決しようとする課題】
【００１９】
しかしながら、ＲＬＣ-ｓｔａｔｕｓ-ｒｅｐｏｒｔについては、再セグメント化することができないため、「Ｄｉｓｔｒｉｂｕｔｅｄ  ＲＬＣｓ」が適用されている移動通信システムにおいて、無線基地局ＳｅＮＢにおいて、かかるＲＬＣ-ｓｔａｔｕｓ-ｒｅｐｏｒｔを送信するのに十分なＴＢＳ（Ｔｒａｎｓｐｏｒｔ  Ｂｌｏｃｋ  Ｓｉｚｅ、トランスポートブロックサイズ）が用いられていない場合、無線基地局ＳｅＮＢが、移動局ＵＥに対して、かかる移動局ＵＥからのＲＬＣ-ＰＤＵ（上りリンク信号）に対するＲＬＣ-ｓｔａｔｕｓ-ｒｅｐｏｒｔを送信することができない可能性があるという問題点があった（図２１参照）。
【００２０】
そこで、本発明は、上述の課題に鑑みてなされたものであり、「Ｄｉｓｔｒｉｂｕｔｅｄ  ＲＬＣｓ」が適用されている場合において、ＲＬＣ-ｓｔａｔｕｓ-ｒｅｐｏｒｔを送信することができる確率を上げることができる移動通信システムを提供することを目的とする。
【課題を解決するための手段】
【００２１】
本発明の第１の特徴は、移動局が、マスター無線基地局配下のセル及びスレーブ無線基地局配下のセルを用いたキャリアアグリゲーションを行うことができるように構成されている移動通信システムであって、前記キャリアアグリゲーションが行われている場合に、前記マスター無線基地局は、前記移動局に対して、該移動局からの上りデータ信号に対する全てのＲＬＣレイヤにおけるステータスレポートを送信するように構成されていることを要旨とする。
【００２２】
本発明の第２の特徴は、移動局が、マスター無線基地局配下のセル及びスレーブ無線基地局配下のセルを用いたキャリアアグリゲーションを行うことができるように構成されている移動通信システムであって、前記キャリアアグリゲーションが行われている場合に、前記マスター無線基地局は、前記スレーブ無線基地局に対して、前記移動局からの上りデータ信号の受信状況を通知するように構成されており、前記スレーブ無線基地局は、前記受信状況及びトランスポートブロックサイズに基づいて、前記上りデータ信号に対するＲＬＣレイヤにおけるステータスレポートを生成して前記移動局に対して送信するように構成されていることを要旨とする。
【００２３】
本発明の第３の特徴は、移動局が、マスター無線基地局配下のセル及びスレーブ無線基地局配下のセルを用いたキャリアアグリゲーションを行うことができるように構成されている移動通信システムであって、前記キャリアアグリゲーションが行われている場合に、前記マスター無線基地局は、前記スレーブ無線基地局に対して、前記移動局からの上りデータ信号に対するＲＬＣレイヤにおけるステータスレポートを送信するように構成されており、前記スレーブ無線基地局は、前記ステータスレポートに含まれる送達確認情報を削減することによって、前記上りデータ信号に対するＲＬＣレイヤにおける新規のステータスレポートを生成して前記移動局に対して送信するように構成されていることを要旨とする。
【００２４】
本発明の第４の特徴は、移動局が、マスター無線基地局配下のセル及びスレーブ無線基地局配下のセルを用いたキャリアアグリゲーションを行うことができるように構成されている移動通信システムであって、前記キャリアアグリゲーションが行われている場合に、前記マスター無線基地局は、前記スレーブ無線基地局に対して、前記移動局からの上りデータ信号に対するＲＬＣレイヤにおけるステータスレポートを送信するように構成されており、前記スレーブ無線基地局は、前記ステータスレポートを複数のユニットに分割するように構成されており、前記スレーブ無線基地局は、前記移動局に対して、分割した前記複数のユニットによって前記ステータスレポートに含まれる送達確認情報を通知するように構成されていることを要旨とする。
【００２５】
本発明の第５の特徴は、移動局が、マスター無線基地局配下のセル及びスレーブ無線基地局配下のセルを用いたキャリアアグリゲーションを行うことができるように構成されている移動通信システムであって、前記キャリアアグリゲーションが行われている場合に、前記スレーブ無線基地局は、前記マスター無線基地局に対して、自身におけるトランスポートブロックサイズに係る情報を通知するように構成されており、前記マスター無線基地局は、前記トランスポートブロックサイズに係る情報に基づいて、前記移動局からの上りデータ信号に対するＲＬＣレイヤにおけるステータスレポートを生成して前記移動局に対して送信するように構成されていることを要旨とする。
【００２６】
本発明の第６の特徴は、移動局が、マスター無線基地局配下のセル及びスレーブ無線基地局配下のセルを用いたキャリアアグリゲーションを行うことができるように構成されている移動通信システムであって、前記キャリアアグリゲーションが行われている場合に、前記マスター無線基地局は、前記スレーブ無線基地局に対して、前記移動局からの上りデータ信号に対するＲＬＣレイヤにおけるステータスレポートを送信するように構成されており、前記スレーブ無線基地局は、所定期間内に、前記マスター無線基地局から受信した前記ステータスレポートを前記移動局に対して送信することができなかった場合に、その旨を該マスター無線基地局に通知するように構成されていることを要旨とする。
【発明の効果】
【００２７】
以上説明したように、本発明によれば、「Ｄｉｓｔｒｉｂｕｔｅｄ  ＲＬＣｓ」が適用されている場合において、ＲＬＣ-ｓｔａｔｕｓ-ｒｅｐｏｒｔを送信することができる確率を上げることができる移動通信システムを提供することができる。
【図面の簡単な説明】
【００２８】
【図１】本発明の第１の実施形態に係る移動通信システムの全体構成図である。
【図２】本発明の第１の実施形態に係る無線基地局ＭｅＮＢの機能ブロック図である。
【図３】本発明の第１の実施形態に係る移動通信システムで用いられるＲＬＣ-Ｄａｔａ-ＰＤＵ及びＲＬＣ-Ｓｔａｔｕｓ-ｒｅｐｏｒｔのフォーマットの一例を示す図である。
【図４】本発明の第１の実施形態に係る無線基地局ＭｅＮＢの動作を示すフローチャートである。
【図５】本発明の第２の実施形態に係る移動通信システムの全体構成図である。
【図６】本発明の第２の実施形態に係る無線基地局ＭｅＮＢの機能ブロック図である。
【図７】本発明の第２の実施形態に係る無線基地局ＭｅＮＢの動作を示すフローチャートである。
【図８】本発明の第３の実施形態に係る移動通信システムについて説明するための図である。
【図９】本発明の第３の実施形態に係る無線基地局ＳｅＮＢの動作を示すフローチャートである。
【図１０】本発明の第４の実施形態に係る移動通信システムについて説明するための図である。
【図１１】本発明の第４の実施形態に係る移動通信システムについて説明するための図である。
【図１２】本発明の第４の実施形態に係る無線基地局ＳｅＮＢの動作を示すフローチャートである。
【図１３】本発明の第５の実施形態に係る移動通信システムの全体構成図である。
【図１４】本発明の第５の実施形態に係る無線基地局ＭｅＮＢの動作を示すフローチャートである。
【図１５】本発明の第６の実施形態に係る移動通信システムについて説明するための図である。
【図１６】本発明の第６の実施形態に係る無線基地局ＳｅＮＢの動作を示すフローチャートである。
【図１７】従来技術を説明するための図である。
【図１８】従来技術を説明するための図である。
【図１９】従来技術を説明するための図である。
【図２０】従来技術を説明するための図である。
【図２１】従来技術を説明するための図である。
【発明を実施するための形態】
【００２９】
（本発明の第１の実施形態に係る移動通信システム）
図１乃至図４を参照して、本発明の第１の実施形態に係る移動通信システムについて説明する。本実施形態に係る移動通信システムとして、ＬＴＥ方式の移動通信システムを例示して説明するが、本発明は、ＬＴＥ方式以外の移動通信システムにも適用可能である。
【００３０】
図１に示すように、本実施形態に係る移動通信システムは、無線基地局ＭｅＮＢと、無線基地局ＳｅＮＢとを具備している。
【００３１】
本実施形態に係る移動通信システムでは、無線基地局ＭｅＮＢは、マスター無線基地局（或いは、マクロセルを管理するマクロ無線基地局）であり、無線基地局ＳｅＮＢは、スレーブ無線基地局（或いは、スモールセルを管理するスモール無線基地局）であるものとする。
【００３２】
また、本実施形態に係る移動通信システムでは、移動局ＵＥが、無線基地局ＭｅＮＢ配下のセル及び無線基地局ＳｅＮＢ配下のセルを用いた「Ｉｎｔｅｒ-ｅＮＢ  ＣＡ」を行うことができるように構成されている。
【００３３】
なお、本実施形態に係る移動通信システムでは、上述の「Ｄｉｓｔｒｉｂｕｔｅｄ  ＲＬＣｓ」が適用されているものとする。
【００３４】
図２に示すように、本実施形態に係る無線基地局ＭｅＮＢは、生成部１１と、判定部１２と、送信部１３とを具備している。
【００３５】
生成部１１は、移動局ＵＥ宛てのＲＬＣ-Ｄａｔａ-ＰＤＵやＲＬＣ-Ｃｏｎｔｒｏｌ-ＰＤＵを生成するように構成されている。
【００３６】
図３（ａ）に、かかるＲＬＣ-Ｄａｔａ-ＰＤＵのフォーマットの一例を示し、  図３（ｂ）に、かかるＲＬＣ-Ｃｏｎｔｒｏｌ-ＰＤＵの１つであるＲＬＣ-ｓｔａｔｕｓ-ｒｅｐｏｒｔのフォーマットの一例を示す。
【００３７】
判定部１２は、生成部１１によって生成された移動局ＵＥ宛てのＲＬＣ-Ｄａｔａ-ＰＤＵやＲＬＣ-Ｃｏｎｔｒｏｌ-ＰＤＵを移動局ＵＥ又は無線基地局ＳｅＮＢのどちらに送信すべきかについて判定するように構成されている。
【００３８】
ここで、判定部１２は、生成部１１によって生成された移動局ＵＥ宛てのＲＬＣ-ｓｔａｔｕｓ-ｒｅｐｏｒｔ（すなわち、移動局ＵＥからの上りリンク信号に対するＲＬＣ-ｓｔａｔｕｓ-ｒｅｐｏｒｔ）については、常時、無線基地局ＳｅＮＢではなく、移動局ＵＥに送信することと決定するように構成されている。
【００３９】
なお、判定部１２は、生成部１１によって生成された移動局ＵＥ宛てのＲＬＣ-Ｄａｔａ-ＰＤＵについては、無線基地局ＳｅＮＢ又は移動局ＵＥのどちらかに送信することと決定するように構成されている。
【００４０】
送信部１３は、判定部１２による判定結果に基づいて、生成部１１によって生成された移動局ＵＥ宛てのＲＬＣ-Ｄａｔａ-ＰＤＵを移動局ＵＥ又は無線基地局ＳｅＮＢのどちらかに送信するように構成されている。
【００４１】
ここで、送信部１３は、判定部１２による判定結果に基づいて、生成部１１によって生成された移動局ＵＥ宛てのＲＬＣ-ｓｔａｔｕｓ-ｒｅｐｏｒｔについては、常時、移動局ＵＥに送信するように構成されている。
【００４２】
以下、図４を参照して、本実施形態に係る無線基地局ＭｅＮＢの動作について説明する。
【００４３】
図４に示すように、無線基地局ＭｅＮＢは、ステップＳ１０１において、生成されたＲＬＣ-ＰＤＵが、ＲＬＣ-Ｃｏｎｔｒｏｌ-ＰＤＵであるか否かについて判定する。
【００４４】
生成されたＲＬＣ-ＰＤＵが、ＲＬＣ-Ｃｏｎｔｒｏｌ-ＰＤＵであると判定された場合、本動作は、ステップＳ１０２に進み、生成されたＲＬＣ-ＰＤＵが、ＲＬＣ-Ｃｏｎｔｒｏｌ-ＰＤＵでない（すなわち、生成されたＲＬＣ-ＰＤＵが、ＲＬＣ-Ｄａｔａ-ＰＤＵである）と判定された場合、本動作は、ステップＳ１０３に進む。
【００４５】
ステップＳ１０２において、無線基地局ＭｅＮＢは、かかるＲＬＣ-ＰＤＵ（ＲＬＣ-Ｃｏｎｔｒｏｌ-ＰＤＵ）を移動局ＵＥに対して送信する。
【００４６】
一方、ステップＳ１０３において、無線基地局ＭｅＮＢは、所定の運用基準等に基づいて、かかるＲＬＣ-ＰＤＵ（ＲＬＣ-Ｄａｔａ-ＰＤＵ）を、直接移動局ＵＥに対して送信する、又は、無線基地局ＳｅＮＢを介して間接的に移動局ＵＥに対して送信する。
【００４７】
本実施形態に係る移動通信システムによれば、「Ｄｉｓｔｒｉｂｕｔｅｄ  ＲＬＣｓ」が適用されている移動通信システムにおいて、無線基地局ＳｅＮＢにおいて、移動局ＵＥ宛てのＲＬＣ-ｓｔａｔｕｓ-ｒｅｐｏｒｔを送信するのに十分なＴＢＳが用いられていない場合、無線基地局ＳｅＮＢが、移動局ＵＥに対して、かかるＲＬＣ-ｓｔａｔｕｓ-ｒｅｐｏｒｔを送信することができないという事態を回避することができる。
【００４８】
（本発明の第２の実施形態に係る移動通信システム）
図５乃至図７を参照して、本発明の第２の実施形態に係る移動通信システムについて、上述の第１の実施形態に係る移動通信システムとの相違点に着目して説明する。
【００４９】
図５に示すように、本実施形態に係る移動通信システムでは、上述の「Ｉｎｔｅｒ-ｅＮＢ  ＣＡ」が行われている場合に、無線基地局ＭｅＮＢの送信部１３は、無線基地局ＳｅＮＢに対して、移動局ＵＥからのＲＬＣ-ＰＤＵ（上りデータ信号）の受信状況を通知するように構成されている。
【００５０】
ここで、ＲＬＣ-ＰＤＵの受信状況としては、ＲＬＣ状態変数等が想定される。なお、ＲＬＣ状態変数の一例としては、既存の３ＧＰＰで規定されているＶＲ（Ｒ）やＶＲ（Ｘ）等が挙げられる。
【００５１】
具体的には、無線基地局ＭｅＮＢの送信部１３は、無線基地局ＳｅＮＢ経由で移動局ＵＥに対して、移動局ＵＥからのＲＬＣ-ＰＤＵに対するＲＬＣ-ｓｔａｔｕｓ-ｒｅｐｏｒｔを送信したい場合に、無線基地局ＳｅＮＢに対して、かかるＲＬＣ-ｓｔａｔｕｓ-ｒｅｐｏｒｔを送信する代わりに、移動局ＵＥからのＲＬＣ-ＰＤＵの受信状況を通知するように構成されていてもよい。
【００５２】
図６に示すように、無線基地局ＳｅＮＢは、受信部２１と、生成部２２と、送信部２３とを具備している。
【００５３】
受信部２１は、無線基地局ＭｅＮＢや移動局ＵＥから各種信号を受信するように構成されており、送信部２３は、無線基地局ＭｅＮＢや移動局ＵＥに対して各種信号を受信するように構成されている。
【００５４】
例えば、上述の「Ｉｎｔｅｒ-ｅＮＢ  ＣＡ」が行われている場合に、受信部２１は、無線基地局ＭｅＮＢから、上述の受信状況を受信するように構成されている。
【００５５】
生成部２２は、移動局ＵＥからのＲＬＣ-ＰＤＵに対するＬＣ-ｓｔａｔｕｓ-ｒｅｐｏｒｔ等のＲＬＣ-Ｃｏｎｔｒｏｌ-ＰＤＵを生成するように構成されている。
【００５６】
具体的には、生成部２２は、かかる受信状況及びＴＢＳ（その時点で無線基地局ＳｅＮＢにおいて用いられているＴＢＳ）に基づいて、移動局ＵＥからのＲＬＣ-ＰＤＵに対するＲＬＣ-ｓｔａｔｕｓ-ｒｅｐｏｒｔを生成するように構成されている。
【００５７】
なお、ＬＴＥ方式のＲｅｌｅａｓｅ-８では、受信側のＲＬＣレイヤは、ＲＬＣ-ｓｔａｔｕｓ-ｒｅｐｏｒｔの送信トリガを検出した場合、その時点でのＲＬＣ-ＰＤＵの受信状況に基づいて、送信すべきＡＣＫ/ＮＡＣＫの情報量を算出し、全てのＡＣＫ/ＮＡＣＫを格納できる程度のＴＢＳが用いられていない場合には、かかるＴＢＳに収まるように、送信すべきＡＣＫ/ＮＡＣＫを低減してＲＬＣ-ｓｔａｔｕｓ-ｒｅｐｏｒｔを送信するように構成されている。
【００５８】
生成部２２は、かかる性質を利用して、移動局ＵＥからのＲＬＣ-ＰＤＵに対するＲＬＣ-ｓｔａｔｕｓ-ｒｅｐｏｒｔを生成するように構成されていてもよい。
【００５９】
送信部２３は、移動局ＵＥに対して、生成部２２によって生成されたＲＬＣ-ｓｔａｔｕｓ-ｒｅｐｏｒｔを送信するように構成されている。
【００６０】
以下、図７を参照して、本実施形態に係る無線基地局ＭｅＮＢの動作について説明する。
【００６１】
図７に示すように、無線基地局ＭｅＮＢは、ステップＳ２０１において、送信すべきＲＬＣ-ＰＤＵが、ＲＬＣ-Ｃｏｎｔｒｏｌ-ＰＤＵであるか否かについて判定する。
【００６２】
生成されたＲＬＣ-ＰＤＵが、ＲＬＣ-Ｃｏｎｔｒｏｌ-ＰＤＵであると判定された場合、本動作は、ステップＳ２０２に進み、生成されたＲＬＣ-ＰＤＵが、ＲＬＣ-Ｃｏｎｔｒｏｌ-ＰＤＵでない（すなわち、生成されたＲＬＣ-ＰＤＵが、ＲＬＣ-Ｄａｔａ-ＰＤＵである）と判定された場合、本動作は、ステップＳ２０３に進む。
【００６３】
ステップＳ２０２において、無線基地局ＭｅＮＢは、無線基地局ＳｅＮＢに対して、移動局ＵＥからのＲＬＣ-ＰＤＵの受信状況（例えば、ＲＬＣ状態変数）を通知する。
【００６４】
一方、ステップＳ２０３において、無線基地局ＭｅＮＢは、所定の運用基準等に基づいて、かかるＲＬＣ-ＰＤＵ（ＲＬＣ-Ｄａｔａ-ＰＤＵ）を、直接移動局ＵＥに対して送信する、又は、無線基地局ＳｅＮＢを介して間接的に移動局ＵＥに対して送信する。
【００６５】
本実施形態に係る移動通信システムによれば、「Ｄｉｓｔｒｉｂｕｔｅｄ  ＲＬＣｓ」が適用されている移動通信システムにおいて、無線基地局ＳｅＮＢにおいて、移動局ＵＥ宛てのＲＬＣ-ｓｔａｔｕｓ-ｒｅｐｏｒｔを送信するのに十分なＴＢＳが用いられていない場合であっても、無線基地局ＳｅＮＢが、送信すべきＡＣＫ/ＮＡＣＫを低減してＲＬＣ-ｓｔａｔｕｓ-ｒｅｐｏｒｔを生成して送信することができる。
【００６６】
（本発明の第３の実施形態に係る移動通信システム）
図８及び図９を参照して、本発明の第３の実施形態に係る移動通信システムについて、上述の第１及び第２の実施形態に係る移動通信システムとの相違点に着目して説明する。
【００６７】
本実施形態に係る移動通信システムでは、上述の「Ｉｎｔｅｒ-ｅＮＢ  ＣＡ」が行われている場合に、無線基地局ＭｅＮＢの送信部１３は、無線基地局ＳｅＮＢに対して、移動局ＵＥからのＲＬＣ-ＰＤＵに対するＲＬＣ-ｓｔａｔｕｓ-ｒｅｐｏｒｔを送信するように構成されている。
【００６８】
なお、無線基地局ＳｅＮＢの生成部２２は、無線基地局ＳｅＮＢにおいて用いられているＴＢＳに収まるように、無線基地局ＭｅＮＢによって送信されたＲＬＣ-ｓｔａｔｕｓ-ｒｅｐｏｒｔを分割（ｔｒｕｎｃａｔｅ）するように構成されている。
【００６９】
例えば、移動局ＵＥが、「ＳＮ＝１〜５」のＲＬＣ-ＰＤＵを送信し、無線基地局ＭｅＮＢ又は無線基地局ＳｅＮＢにおいて、「ＳＮ＝０，２，５」のＲＬＣ-ＰＤＵのみ受信が完了しているケースについて考える。
【００７０】
かかるケースでは、無線基地局ＭｅＮＢは、図８（ａ）に示すように、「ＡＣＫ_ＳＮ＝６」及び「ＮＡＣＫ_ＳＮ＝１，３，４」と設定されたＲＬＣ-ｓｔａｔｕｓ-ｒｅｐｏｒｔを生成して無線基地局ＳｅＮＢに対して送信するように構成されている。
【００７１】
ここで、「ＡＣＫ_ＳＮ」は、次に受信を期待するＲＬＣ-ＰＤＵのＳＮを示し、「ＮＡＣＫ_ＳＮ」は、順番どおり受信していないＲＬＣ-ＰＤＵのＳＮを示す。
【００７２】
無線基地局ＳｅＮＢは、かかるＲＬＣ-ｓｔａｔｕｓ-ｒｅｐｏｒｔに含まれる送達確認情報（ＡＣＫ/ＮＡＣＫ）を削減することによって、移動局ＵＥからのＲＬＣ-ＰＤＵに対する新規のＲＬＣ-ｓｔａｔｕｓ-ｒｅｐｏｒｔを生成して移動局ＵＥに対して送信するように構成されている。
【００７３】
具体的には、無線基地局ＳｅＮＢは、図８（ｂ）に示すように、「ＡＣＫ_ＳＮ＝３」及び「ＮＡＣＫ_ＳＮ＝１」と設定された新規のＲＬＣ-ｓｔａｔｕｓ-ｒｅｐｏｒｔを生成して移動局ＵＥに対して送信するように構成されている。
【００７４】
ただし、新規のＲＬＣ-ｓｔａｔｕｓ-ｒｅｐｏｒｔは、無線基地局ＭｅＮＢによって生成されたＲＬＣ-ｓｔａｔｕｓ-ｒｅｐｏｒｔに含まれている全てのＡＣＫ/ＮＡＣＫを送信することができないため、移動局ＵＥは、「ＳＮ＝３〜５」のＲＬＣ-ＰＤＵについて再送することになる。
【００７５】
以下、図９を参照して、本実施形態に係る無線基地局ＳｅＮＢの動作について説明する。
【００７６】
図９に示すように、無線基地局ＳｅＮＢは、ステップＳ３０１において、無線基地局ＭｅＮＢによって送信されたＲＬＣ-ｓｔａｔｕｓ-ｒｅｐｏｒｔ（ＲＬＣ-Ｃｏｎｔｒｏｌ-ＰＤＵ）のサイズが、現時点で無線基地局ＳｅＮＢにおいて用いられているＴＢＳよりも大きいか否かについて判定する。
【００７７】
かかるＲＬＣ-ｓｔａｔｕｓ-ｒｅｐｏｒｔのサイズが、かかるＴＢＳよりも大きいと判定された場合には、本動作は、ステップＳ３０２に進み、それ以外の場合には、本動作は、ステップＳ３０３に進む。
【００７８】
ステップＳ３０２において、無線基地局ＳｅＮＢは、かかるＲＬＣ-ｓｔａｔｕｓ-ｒｅｐｏｒｔに含まれているＡＣＫ/ＮＡＣＫの一部を含む新規のＲＬＣ-ｓｔａｔｕｓ-ｒｅｐｏｒｔを生成して移動局ＵＥに対して送信する。
【００７９】
一方、ステップＳ３０３において、無線基地局ＳｅＮＢは、かかるＲＬＣ-ｓｔａｔｕｓ-ｒｅｐｏｒｔをそのまま移動局ＵＥに対して送信する。
【００８０】
本実施形態に係る移動通信システムによれば、「Ｄｉｓｔｒｉｂｕｔｅｄ  ＲＬＣｓ」が適用されている移動通信システムにおいて、無線基地局ＳｅＮＢにおいて、移動局ＵＥ宛てのＲＬＣ-ｓｔａｔｕｓ-ｒｅｐｏｒｔを送信するのに十分なＴＢＳが用いられていない場合であっても、無線基地局ＳｅＮＢが、ＡＣＫ/ＮＡＣＫの情報量を低減した新規のＲＬＣ-ｓｔａｔｕｓ-ｒｅｐｏｒｔを生成して送信することができる。
【００８１】
なお、無線基地局ＳｅＮＢにおいて、ＲＬＣ-ｓｔａｔｕｓ-ｒｅｐｏｒｔに含まれているＡＣＫ/ＮＡＣＫの情報量を低減した場合、その旨をＲＬＣ-ＰＤＵやＭＡＣ-ＰＤＵのヘッダ内で（例えば、対応するビットを設定することにより）示してもよい。
【００８２】
（本発明の第４の実施形態に係る移動通信システム）
図１０乃至図１２を参照して、本発明の第４の実施形態に係る移動通信システムについて、上述の第１乃至第３の実施形態に係る移動通信システムとの相違点に着目して説明する。
【００８３】
本実施形態に係る移動通信システムでは、上述の「Ｉｎｔｅｒ-ｅＮＢ  ＣＡ」が行われている場合に、無線基地局ＭｅＮＢの送信部１３は、無線基地局ＳｅＮＢに対して、移動局ＵＥからのＲＬＣ-ＰＤＵに対するＲＬＣ-ｓｔａｔｕｓ-ｒｅｐｏｒｔを送信するように構成されている。
【００８４】
ここで、無線基地局ＳｅＮＢは、かかるＲＬＣ-ｓｔａｔｕｓ-ｒｅｐｏｒｔを複数のユニットに分割し、移動局ＵＥに対して、分割した複数のユニットによって、上述のＲＬＣ-ｓｔａｔｕｓ-ｒｅｐｏｒｔに含まれる全ての送達確認情報（ＡＣＫ/ＮＡＣＫ）を通知するように構成されている。
【００８５】
例えば、移動局ＵＥが、「ＳＮ＝１〜６」のＲＬＣ-ＰＤＵを送信し、無線基地局ＭｅＮＢ又は無線基地局ＳｅＮＢにおいて、「ＳＮ＝０，２，６」のＲＬＣ-ＰＤＵのみ受信が完了しているケースについて考える。
【００８６】
かかるケースでは、無線基地局ＭｅＮＢは、図１０（ａ）に示すように、「ＡＣＫ_ＳＮ＝７」及び「ＮＡＣＫ_ＳＮ＝１，３，４，５」と設定されたＲＬＣ-ｓｔａｔｕｓ-ｒｅｐｏｒｔを生成して無線基地局ＳｅＮＢに対して送信するように構成されている。
【００８７】
具体的には、無線基地局ＳｅＮＢは、かかるＲＬＣ-ｓｔａｔｕｓ-ｒｅｐｏｒｔを、図１０（ｂ）に示すユニット（ＲＬＣ-Ｃｏｎｔｒｏｌ-ＰＤＵ）及び図１０（ｃ）示すユニット（ＲＬＣ-Ｃｏｎｔｒｏｌ-ＰＤＵ）に分割するように構成されている。
【００８８】
ここで、図１０（ｂ）に示すユニットには、「ＡＣＫ_ＳＮ＝３」及び「ＮＡＣＫ_ＳＮ＝１」と設定されており、図１０（ｃ）に示すユニットには、「ＡＣＫ_ＳＮ＝７」、「ｔｒｕｎｃａｔｅＡＣＫ_ＳＮ＝３」及び「ＮＡＣＫ_ＳＮ＝４，５」と設定されている。
【００８９】
なお、「ｔｒｕｎｃａｔｅＡＣＫ_ＳＮ」は、かかるＳＮ以下のＳＮを有するＲＬＣ-ＰＤＵのＡＣＫ/ＮＡＣＫが別のユニット（ＲＬＣ-Ｃｏｎｔｒｏｌ-ＰＤＵ）で通知されていることを示す。なお、ＳＮは、巡回するという性質を有しているため、「ＳＮ以下」という記載は、時間的に古いことを意図している。
【００９０】
送信側のＲＬＣレイヤは、「ｔｒｕｎｃａｔｅＡＣＫ_ＳＮ」によって示されているＲＬＣ-ＰＤＵについては、受信側のＲＬＣレイヤにおいて受信されていないものとして取り扱う。
【００９１】
ここで、図１０（ｂ）に示すユニット（ＲＬＣ-Ｃｏｎｔｒｏｌ-ＰＤＵ）及び図１０（ｃ）示すユニット（ＲＬＣ-Ｃｏｎｔｒｏｌ-ＰＤＵ）によって、無線基地局ＭｅＮＢによって送信されたＲＬＣ-ｓｔａｔｕｓ-ｒｅｐｏｒｔに含まれている全てのＡＣＫ/ＮＡＣＫについて通知することができる。
【００９２】
なお、「ＮＡＣＫ_ＳＮ＝１」の数が多い場合、無線基地局ＳｅＮＢは、かかるＲＬＣ-ｓｔａｔｕｓ-ｒｅｐｏｒｔを多数のユニットに分割すると、オーバヘッドが大きくなるため、かかるＲＬＣ-ｓｔａｔｕｓ-ｒｅｐｏｒｔを分割することができるユニットの数が制限されていてもよい。
【００９３】
例えば、移動局ＵＥが、「ＳＮ＝１〜１００」のＲＬＣ-ＰＤＵを送信し、無線基地局ＭｅＮＢ又は無線基地局ＳｅＮＢにおいて、「ＳＮ＝０，１００」のＲＬＣ-ＰＤＵのみ受信が完了しているケースについて考える。
【００９４】
かかるケースでは、無線基地局ＭｅＮＢは、図１１（ａ）に示すように、「ＡＣＫ_ＳＮ＝１０１」及び「ＮＡＣＫ_ＳＮ＝１〜９９」と設定されたＲＬＣ-ｓｔａｔｕｓ-ｒｅｐｏｒｔを生成して無線基地局ＳｅＮＢに対して送信するように構成されている。
【００９５】
ここで、無線基地局ＳｅＮＢにおいて用いられているＴＢＳが、１個の「ＡＣＫ_ＳＮ」及び３個の「ＮＡＣＫ_ＳＮ」を送信できる程度の大きさである場合、無線基地局ＳｅＮＢは、図１１（ａ）に示すように、かかるＲＬＣ-ｓｔａｔｕｓ-ｒｅｐｏｒｔを、相当数のユニットに分割することになり、オーバヘッドの観点から望ましくない。
【００９６】
そこで、例えば、図１１（ｂ）に示すように、ＲＬＣ-ｓｔａｔｕｓ-ｒｅｐｏｒｔを分割することができるユニットの数が「２」と制限されている場合、無線基地局ＳｅＮＢは、かかるＲＬＣ-ｓｔａｔｕｓ-ｒｅｐｏｒｔを、「ＡＣＫ_ＳＮ＝１」と設定されているユニットと、「ＡＣＫ_ＳＮ＝４」、「ｔｒｕｎｃａｔｅＡＣＫ_ＳＮ＝１」及び「ＮＡＣＫ_ＳＮ＝２，３」と設定されているユニットとにのみ分割するように構成されている。
【００９７】
かかる場合、無線基地局ＳｅＮＢは、上述のＲＬＣ-ｓｔａｔｕｓ-ｒｅｐｏｒｔを、これ以上のユニットに分割しないように構成されているため、移動局ＵＥに対して、かかるＲＬＣ-ｓｔａｔｕｓ-ｒｅｐｏｒｔに含まれている全てのＡＣＫ/ＮＡＣＫについて通知することができない。
【００９８】
以下、図１２を参照して、本実施形態に係る無線基地局ＳｅＮＢの動作について説明する。
【００９９】
図１２に示すように、無線基地局ＳｅＮＢは、ステップＳ４０１において、「ｋ＝０」及び「ｓｉｚｅ＝送信すべきＡＣＫ/ＮＡＣＫ（無線基地局ＭｅＮＢによって送信されたＲＬＣ-ｓｔａｔｕｓ-ｒｅｐｏｒｔに含まれているＡＣＫ/ＮＡＣＫ）の情報量」と設定し、ステップＳ４０２において、「ｓｉｚｅ」が「０」よりも大きいか否かについて判定する。
【０１００】
「ｓｉｚｅ」が「０」よりも大きいと判定された場合には、本動作は、ステップＳ４０３に進み、それ以外の場合には、本動作は、終了する。
【０１０１】
ステップＳ４０３において、無線基地局ＳｅＮＢは、「ｋ」が「ｋ_ｍａｘ（ｋの最大値）」よりも小さいか否かについて判定する。
【０１０２】
「ｋ」が「ｋ_ｍａｘ」よりも小さいと判定された場合には、本動作は、ステップＳ４０４に進み、それ以外の場合には、本動作は、終了する。
【０１０３】
ステップＳ４０４において、無線基地局ＳｅＮＢは、自身で用いているＴＢＳに収まるように分割したユニットで、送信すべきＡＣＫ/ＮＡＣＫを送信し、「ｓｉｚｅ」から、かかるユニットによって送信したＡＣＫ/ＮＡＣＫの情報量を削除する。
【０１０４】
ステップＳ４０５において、無線基地局ＳｅＮＢは、「ｋ」の値を１だけ増やし、本動作は、ステップＳ４０２に戻る。
【０１０５】
本実施形態に係る移動通信システムによれば、「Ｄｉｓｔｒｉｂｕｔｅｄ  ＲＬＣｓ」が適用されている移動通信システムにおいて、無線基地局ＳｅＮＢにおいて、移動局ＵＥ宛てのＲＬＣ-ｓｔａｔｕｓ-ｒｅｐｏｒｔを送信するのに十分なＴＢＳが用いられていない場合であっても、無線基地局ＳｅＮＢが、ＲＬＣ-ｓｔａｔｕｓ-ｒｅｐｏｒｔを分割して得られたユニットを用いて、ＲＬＣ-ｓｔａｔｕｓ-ｒｅｐｏｒｔに含まれるＡＣＫ/ＮＡＣＫを送信することができる。
【０１０６】
（本発明の第５の実施形態に係る移動通信システム）
図１３及び図１４を参照して、本発明の第５の実施形態に係る移動通信システムについて、上述の第１乃至第４の実施形態に係る移動通信システムとの相違点に着目して説明する。
【０１０７】
図１３に示すように、本実施形態に係る移動通信システムでは、上述の「Ｉｎｔｅｒ-ｅＮＢ  ＣＡ」が行われている場合に、無線基地局ＳｅＮＢは、無線基地局ＭｅＮＢに対して、定期的に、フィードバック情報として、自身におけるＴＢＳに係る情報を通知するように構成されている。
【０１０８】
ここで、かかるＴＢＳに係る情報としては、所定期間内における無線基地局ＳｅＮＢにおいて用いられていたＴＢＳの最大値や平均値等が用いられていてもよい。
【０１０９】
無線基地局ＭｅＮＢは、かかるＴＢＳに係る情報に基づいて、移動局ＵＥからのＲＬＣ-ＰＤＵに対するＲＬＣ-ｓｔａｔｕｓ-ｒｅｐｏｒｔを生成して移動局ＵＥに対して送信するように構成されている。
【０１１０】
以下、図１４を参照して、本実施形態に係る無線基地局ＭｅＮＢの動作について説明する。
【０１１１】
図１４に示すように、無線基地局ＭｅＮＢは、ステップＳ５０１において、生成したＲＬＣ-ｓｔａｔｕｓ-ｒｅｐｏｒｔ（ＲＬＣ-Ｃｏｎｔｒｏｌ-ＰＤＵ）のサイズが、無線基地局ＳｅＮＢによって通知されたＴＢＳよりも大きいか否かについて判定する。
【０１１２】
かかるＲＬＣ-ｓｔａｔｕｓ-ｒｅｐｏｒｔのサイズが、かかるＴＢＳよりも大きいと判定された場合には、本動作は、ステップＳ５０２に進み、それ以外の場合には、本動作は、ステップＳ５０３に進む。
【０１１３】
ステップＳ５０２において、無線基地局ＭｅＮＢは、かかるＲＬＣ-ｓｔａｔｕｓ-ｒｅｐｏｒｔに含まれているＡＣＫ/ＮＡＣＫの情報量を低減して無線基地局ＳｅＮＢに対して送信する。
【０１１４】
一方、ステップＳ５０３において、無線基地局ＭｅＮＢは、かかるＲＬＣ-ｓｔａｔｕｓ-ｒｅｐｏｒｔをそのまま移動局ＵＥに対して送信する。
【０１１５】
本実施形態に係る移動通信システムによれば、「Ｄｉｓｔｒｉｂｕｔｅｄ  ＲＬＣｓ」が適用されている移動通信システムにおいて、無線基地局ＳｅＮＢにおいて、移動局ＵＥ宛てのＲＬＣ-ｓｔａｔｕｓ-ｒｅｐｏｒｔを送信するのに十分なＴＢＳが用いられていない場合であっても、無線基地局ＭｅＮＢが、その時点で無線基地局ＳｅＮＢにおいて用いられているＴＢＳに応じて、ＲＬＣ-ｓｔａｔｕｓ-ｒｅｐｏｒｔに含めるべきＡＣＫ/ＮＡＣＫの情報量を低減することができる。
【０１１６】
（本発明の第６の実施形態に係る移動通信システム）
図１５及び図１６を参照して、本発明の第６の実施形態に係る移動通信システムについて、上述の第１乃至第５の実施形態に係る移動通信システムとの相違点に着目して説明する。
【０１１７】
図１５に示すように、本実施形態に係る移動通信システムでは、上述の「Ｉｎｔｅｒ-ｅＮＢ  ＣＡ」が行われている場合に、無線基地局ＭｅＮＢは、無線基地局ＳｅＮＢに対して、移動局ＵＥからのＲＬＣ-ＰＤＵに対するＲＬＣ-ｓｔａｔｕｓ-ｒｅｐｏｒｔを送信するように構成されている（時刻ｔ２及び時刻ｔ６参照）。
【０１１８】
ここで、無線基地局ＳｅＮＢは、所定期間（例えば、１００ｂｙｔｅ以上のＴＢＳがない期間）内に、無線基地局ＭｅＮＢから受信したＲＬＣ-ｓｔａｔｕｓ-ｒｅｐｏｒｔを移動局ＵＥに対して送信することができなかった場合に、その旨を無線基地局ＭｅＮＢに通知するように構成されている。
【０１１９】
以下、図１５を参照して、本実施形態に係る移動通信システムの動作について説明する。
【０１２０】
図１５に示すように、上述の「Ｉｎｔｅｒ-ｅＮＢ  ＣＡ」が行われている場合に、無線基地局ＭｅＮＢは、時刻ｔ１において、移動局ＵＥからのＲＬＣ-ＰＤＵに対するＲＬＣ-ｓｔａｔｕｓ-ｒｅｐｏｒｔ（１００ｂｙｔｅ）を生成し、時刻ｔ２において、無線基地局ＳｅＮＢに対して、かかるＲＬＣ-ｓｔａｔｕｓ-ｒｅｐｏｒｔ（１００ｂｙｔｅ）を送信する。
【０１２１】
無線基地局ＳｅＮＢは、時刻ｔ３において、かかるＲＬＣ-ｓｔａｔｕｓ-ｒｅｐｏｒｔ（１００ｂｙｔｅ）を受信すると、所定期間を計測するタイマを起動する。
【０１２２】
その後、無線基地局ＳｅＮＢは、時刻ｔ４において、かかるＲＬＣ-ｓｔａｔｕｓ-ｒｅｐｏｒｔ（１００ｂｙｔｅ）を移動局ＵＥに対して送信し、かかるタイマを停止する。
【０１２３】
例えば、かかるタイマは、１００ｂｙｔｅ以上のＴＢＳが用いられることになった際にも停止するように構成されていてもよい。
【０１２４】
無線基地局ＭｅＮＢは、時刻ｔ５において、移動局ＵＥからのＲＬＣ-ＰＤＵに対するＲＬＣ-ｓｔａｔｕｓ-ｒｅｐｏｒｔ（１００ｂｙｔｅ）を生成し、時刻ｔ６において、無線基地局ＳｅＮＢに対して、かかるＲＬＣ-ｓｔａｔｕｓ-ｒｅｐｏｒｔ（１００ｂｙｔｅ）を送信する。
【０１２５】
無線基地局ＳｅＮＢは、時刻ｔ７において、かかるＲＬＣ-ｓｔａｔｕｓ-ｒｅｐｏｒｔ（１００ｂｙｔｅ）を受信すると、所定期間を計測するタイマを起動する。
【０１２６】
時刻ｔ８において、かかるタイマが満了した場合、無線基地局ＳｅＮＢは、無線基地局ＭｅＮＢに対して、かかるＲＬＣ-ｓｔａｔｕｓ-ｒｅｐｏｒｔ（１００ｂｙｔｅ）を移動局ＵＥに対して送信することができなかった旨について通知する。
【０１２７】
ここで、無線基地局ＳｅＮＢは、かかるＲＬＣ-ｓｔａｔｕｓ-ｒｅｐｏｒｔ（１００ｂｙｔｅ）について無線基地局ＭｅＮＢに対して返信するように構成されていてもよいし、かかるＲＬＣ-ｓｔａｔｕｓ-ｒｅｐｏｒｔ（１００ｂｙｔｅ）について破棄するように構成されていてもよい。
【０１２８】
時刻ｔ９において、無線基地局ＭｅＮＢは、かかる通知に応じて、移動局ＵＥに対して、直接、かかるＲＬＣ-ｓｔａｔｕｓ-ｒｅｐｏｒｔ（１００ｂｙｔｅ）を送信する。
【０１２９】
なお、無線基地局ＭｅＮＢは、かかる通知に応じて、かかるＲＬＣ-ｓｔａｔｕｓ-ｒｅｐｏｒｔを再生成して、無線基地局ＳｅＮＢに対して送信してもよい。このとき、無線基地局ＭｅＮＢは、「Ｐｒｏｈｉｂｉｔ  ｔｉｍｅｒ」の起動有無について考慮しないように構成されていてもよい。かかる制御により、送信側のＲＬＣレイヤにおいて、ＲＬＣ-ｓｔａｔｕｓ-ｒｅｐｏｒｔの受信が遅延することに起因する「Ｔｘ  ｗｉｎｄｏｗ  ｓｔａｌｌｉｎｇ」が発生する可能性を低減することができる。
【０１３０】
以下、図１６を参照して、本実施形態に係る無線基地局ＳｅＮＢの動作について説明する。
【０１３１】
図１６に示すように、上述の「Ｉｎｔｅｒ-ｅＮＢ  ＣＡ」が行われている場合に、ステップＳ６０１において、無線基地局ＳｅＮＢは、無線基地局ＭｅＮＢからＲＬＣ-ｓｔａｔｕｓ-ｒｅｐｏｒｔ（ＲＬＣ-Ｃｏｎｔｒｏｌ-ＰＤＵ）を受信してから所定期間が経過したか否かについて判定する。
【０１３２】
所定期間が経過したと判定された場合、本動作は、ステップＳ６０２に進み、所定期間が経過していないと判定された場合、本動作は、終了する。
【０１３３】
ステップＳ６０２において、無線基地局ＳｅＮＢは、無線基地局ＭｅＮＢに対して、所定期間内に無線基地局ＭｅＮＢから受信したＲＬＣ-ｓｔａｔｕｓ-ｒｅｐｏｒｔを移動局ＵＥに対して送信することができなかった旨を通知する。
【０１３４】
本実施形態に係る移動通信システムによれば、「Ｄｉｓｔｒｉｂｕｔｅｄ  ＲＬＣｓ」が適用されている移動通信システムにおいて、無線基地局ＳｅＮＢが、移動局ＵＥ宛てのＲＬＣ-ｓｔａｔｕｓ-ｒｅｐｏｒｔを送信することができなかった場合には、無線基地局ＭｅＮＢが、移動局ＵＥに対して、直接、かかるＲＬＣ-ｓｔａｔｕｓ-ｒｅｐｏｒｔを送信することができる。
【０１３５】
或いは、本実施形態に係る移動通信システムによれば、「Ｄｉｓｔｒｉｂｕｔｅｄ  ＲＬＣｓ」が適用されている移動通信システムにおいて、無線基地局ＳｅＮＢが、移動局ＵＥ宛てのＲＬＣ-ｓｔａｔｕｓ-ｒｅｐｏｒｔを送信することができなかった場合には、無線基地局ＭｅＮＢが、かかるＲＬＣ-ｓｔａｔｕｓ-ｒｅｐｏｒｔに含めるＡＣＫ/ＮＡＣＫの情報量を低減することができる。
【０１３６】
以上に述べた本実施形態の特徴は、以下のように表現されていてもよい。
【０１３７】
本実施形態の第１の特徴は、移動局ＵＥが、無線基地局ＭｅＮＢ（マスター無線基地局）配下のセル及び無線基地局ＳｅＮＢ（スレーブ無線基地局）配下のセルを用いた「Ｉｎｔｅｒ-ｅＮＢ  ＣＡ（キャリアアグリゲーション）」を行うことができるように構成されている移動通信システムであって、かかる「Ｉｎｔｅｒ-ｅＮＢ  ＣＡ」が行われている場合に、無線基地局ＭｅＮＢは、移動局ＵＥに対して、かかる移動局ＵＥからの上りデータ信号に対する全てのＲＬＣ-ｓｔａｔｕｓ-ｒｅｐｏｒｔ（ＲＬＣレイヤにおけるステータスレポート）を送信するように構成されていることを要旨とする。
【０１３８】
本実施形態の第２の特徴は、移動局ＵＥが、無線基地局ＭｅＮＢ配下のセル及び無線基地局ＳｅＮＢ配下のセルを用いた「Ｉｎｔｅｒ-ｅＮＢ  ＣＡ」を行うことができるように構成されている移動通信システムであって、かかる「Ｉｎｔｅｒ-ｅＮＢ  ＣＡ」が行われている場合に、無線基地局ＭｅＮＢは、無線基地局ＳｅＮＢに対して、移動局ＵＥからの上りデータ信号の受信状況を通知するように構成されており、無線基地局ＳｅＮＢは、かかる受信状況及びＴＢＳ（トランスポートブロックサイズ）に基づいて、移動局ＵＥからの上りデータ信号に対するＲＬＣ-ｓｔａｔｕｓ-ｒｅｐｏｒｔを生成して移動局ＵＥに対して送信するように構成されていることを要旨とする。
【０１３９】
本実施形態の第３の特徴は、移動局ＵＥが、無線基地局ＭｅＮＢ配下のセル及び無線基地局ＳｅＮＢ配下のセルを用いた「Ｉｎｔｅｒ-ｅＮＢ  ＣＡ」を行うことができるように構成されている移動通信システムであって、かかる「Ｉｎｔｅｒ-ｅＮＢ  ＣＡ」が行われている場合に、無線基地局ＭｅＮＢは、無線基地局ＳｅＮＢに対して、移動局ＵＥからの上りデータ信号に対するＲＬＣ-ｓｔａｔｕｓ-ｒｅｐｏｒｔを送信するように構成されており、無線基地局ＳｅＮＢは、かかるＲＬＣ-ｓｔａｔｕｓ-ｒｅｐｏｒｔに含まれる送達確認情報（ＡＣＫ/ＮＡＣＫ）を削減することによって、移動局ＵＥからの上りデータ信号に対する新規のＲＬＣ-ｓｔａｔｕｓ-ｒｅｐｏｒｔを生成して移動局ＵＥに対して送信するように構成されていることを要旨とする。
【０１４０】
本実施形態の第４の特徴は、移動局ＵＥが、無線基地局ＭｅＮＢ配下のセル及び無線基地局ＳｅＮＢ配下のセルを用いた「Ｉｎｔｅｒ-ｅＮＢ  ＣＡ」を行うことができるように構成されている移動通信システムであって、かかる「Ｉｎｔｅｒ-ｅＮＢ  ＣＡ」が行われている場合に、無線基地局ＭｅＮＢは、無線基地局ＳｅＮＢに対して、移動局ＵＥからの上りデータ信号に対するＲＬＣ-ｓｔａｔｕｓ-ｒｅｐｏｒｔを送信するように構成されており、無線基地局ＳｅＮＢは、かかるＲＬＣ-ｓｔａｔｕｓ-ｒｅｐｏｒｔを複数のユニットに分割するように構成されており、無線基地局ＳｅＮＢは、移動局ＵＥに対して、分割した複数のユニットによって、上述のＲＬＣ-ｓｔａｔｕｓ-ｒｅｐｏｒｔに含まれる送達確認情報（ＡＣＫ/ＮＡＣＫ）を通知するように構成されていることを要旨とする。
【０１４１】
本実施形態の第５の特徴は、移動局ＵＥが、無線基地局ＭｅＮＢ配下のセル及び無線基地局ＳｅＮＢ配下のセルを用いた「Ｉｎｔｅｒ-ｅＮＢ  ＣＡ」を行うことができるように構成されている移動通信システムであって、かかる「Ｉｎｔｅｒ-ｅＮＢ  ＣＡ」が行われている場合に、無線基地局ＳｅＮＢは、無線基地局ＭｅＮＢに対して、自身におけるＴＢＳに係る情報を通知するように構成されており、無線基地局ＭｅＮＢは、かかるＴＢＳに係る情報に基づいて、移動局ＵＥからの上りデータ信号に対するＲＬＣ-ｓｔａｔｕｓ-ｒｅｐｏｒｔを生成して移動局ＵＥに対して送信するように構成されていることを要旨とする。
【０１４２】
本実施形態の第６の特徴は、移動局ＵＥが、無線基地局ＭｅＮＢ配下のセル及び無線基地局ＳｅＮＢ配下のセルを用いた「Ｉｎｔｅｒ-ｅＮＢ  ＣＡ」を行うことができるように構成されている移動通信システムであって、かかる「Ｉｎｔｅｒ-ｅＮＢ  ＣＡ」が行われている場合に、無線基地局ＭｅＮＢは、無線基地局ＳｅＮＢに対して、移動局ＵＥからの上りデータ信号に対するＲＬＣ-ｓｔａｔｕｓ-ｒｅｐｏｒｔを送信するように構成されており、無線基地局ＳｅＮＢは、所定期間内に、無線基地局ＭｅＮＢから受信したＲＬＣ-ｓｔａｔｕｓ-ｒｅｐｏｒｔを移動局ＵＥに対して送信することができなかった場合に、その旨を無線基地局ＭｅＮＢに通知するように構成されていることを要旨とする。
【０１４３】
なお、上述の無線基地局ＭｅＮＢ/ＳｅＮＢの動作は、ハードウェアによって実施されてもよいし、プロセッサによって実行されるソフトウェアモジュールによって実施されてもよいし、両者の組み合わせによって実施されてもよい。
【０１４４】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１４５】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ＭｅＮＢ/ＳｅＮＢ内に設けられていてもよい。また、かかる記憶媒体及びプロセッサは、ディスクリートコンポーネントとして無線基地局ＭｅＮＢ/ＳｅＮＢ内に設けられていてもよい。
【０１４６】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１４７】
ＵＥ…移動局
ＭｅＮＢ/ＳｅＮＢ…無線基地局
１１、２２…生成部
１２…判定部
１３、２３…送信部
２１…受信部
【図１】
2015070318.tif 000003
【図２】
2015070318.tif 000004
【図３】
2015070318.tif 000005
【図４】
2015070318.tif 000006
【図５】
2015070318.tif 000007
【図６】
2015070318.tif 000008
【図７】
2015070318.tif 000009
【図８】
2015070318.tif 000010
【図９】
2015070318.tif 000011
【図１０】
2015070318.tif 000012
【図１１】
2015070318.tif 000013
【図１２】
2015070318.tif 000014
【図１３】
2015070318.tif 000015
【図１４】
2015070318.tif 000016
【図１５】
2015070318.tif 000017
【図１６】
2015070318.tif 000018
【図１７】
2015070318.tif 000019
【図１８】
2015070318.tif 000020
【図１９】
2015070318.tif 000021
【図２０】
2015070318.tif 000022
【図２１】
2015070318.tif 000023